(57)【要約】【課題】  既存の帽子に変更を加えることなく耳当てを帽子に着脱できる新たな耳当て付き帽子を提供する【解決手段】  帽子本体と支持部と耳当てから構成される耳当て付き帽子において、帽子本体はその側面部に接着された芯材を有し、支持部は、一端に前記耳当てが結合され、他端に脱落防止手段が設けられたアームと、外片と内片を有し、各々の内面に脱落防止手段が設けられるクリップと、外片の外面に前記アームを摺動可能に結合するアーム結合手段とを有し、外片と内片間に芯材を挟持することによって支持部を帽子本体に固着するように構成される。本発明によれば、クリップに脱落防止手段により支持部を帽子本体に強固に取り付けることができるとともに耳当ての位置を微調して耳にフィットさせることができる。さらに、ブローチを帽子本体に容易に取り付けることができ、帽子本体の後部からはみ出した頭髪を頭髪収納袋に収納することが可能である。【選択図】        図１
2008038291.tif 000002
【特許請求の範囲】
【請求項１】
帽子本体と支持部と耳当てとから構成される耳当て付き帽子において、
前記帽子本体は、その側面部に接着された芯材を有し、
前記支持部は、
一端に前記耳当てが結合され、他端に脱落防止手段が設けられたアームと、
略Ｕ字状に形成され、外片と内片を有し、各々の内面に脱落防止手段が設けられるクリップと、
前記外片の外面に前記アームを摺動可能に結合するアーム結合手段と、
を有し、
前記外片と内片間に前記芯材を挟持することによって前記支持部を前記帽子本体に固着することを特徴とする耳当て付き帽子。
【請求項２】
前記脱落防止手段は、鋸歯状突起であることを特徴とする請求項１に記載の耳当て付き帽子。
【請求項３】
前記支持部は、前記クリップが帽子本体から取り外し可能に構成されていることを特徴とする請求項１に記載の耳当て付き帽子。
【請求項４】
前記支持部は、前記クリップが帽子本体に固着されていることを特徴とする請求項１に記載の耳当て付き帽子。
【請求項５】
前記帽子の後部に頭髪収納袋付きブローチを取り付けるための２つの小孔を有することを特徴とする請求項１に記載の耳当て付き帽子。
【請求項６】
前記帽子本体の両側面に略半円形状の切り欠き部が設けられることを特徴とする請求項１に記載の耳当て付き帽子。
【発明の詳細な説明】
【技術分野】
【０００１】
本発明は、脱落防止手段を設けたクリップにより支持部を帽子に強固に取り付けることができるとともに耳当ての位置を微調して耳にフィットさせることができる耳当て付き帽子に関する。さらに、帽子の後部からはみ出した頭髪をブローチに取り付けた頭髪収納袋に収納することが可能な耳当て付き帽子に関する。
【背景技術】
【０００２】
図１１は、防寒用耳当てを帽子本体の両側面に着脱可能とした第１の従来例の耳当て付き帽子を説明する図である（特許文献１）。帽子本体９０の側面に雌ホック９１を設け、防寒用耳当て９２と雄ホック９３とを伸縮自在のステー９４を介して接続し、雄ホック９３と雌ホック９１を脱着することにより耳当て９２を帽子に着脱し、ステー９４の長さを調整することにより耳当て９２の位置を調整可能としたものである。
【０００３】
図１２は、クリップにより各種の付加物を取り付け可能にした第２の従来例の帽子を説明する図である（特許文献２）。これは、帽子（クラウン）９５の側面（リム）をクリップ９６で挟み、そのクリップ９６に各種の付加物９７を取り付けることにより、付加物９７を帽子９５に着脱可能としたものである。
【０００４】
図１３は、クリップ付きヘアーネットの構造に関する従来例を示す図である（特許文献３）。これは、頭髪８５を覆ったヘアーネット８６をクリップ８７に結合するようにしてヘアーネット８６のずり落ちを防止し、併せてクリップの上からリボン８８を取り付けることで装飾的効果も図ったものである。
【特許文献１】実全昭５８−６１４２１号公報
【特許文献２】特開２００６−８９８８０号公報
【特許文献３】実全平０３−８１００３号公報
【発明の開示】
【発明が解決しようとする課題】
【０００５】
上記第１の従来例の耳当て付き帽子は、ホックを用いて耳当てを帽子に着脱する構造を用いているため、既存の帽子にホックを取り付ける必要があり、耳当てを使用しないときでも不要なホックが付いているので、外観上好ましくないという欠点があった。また過去に大量に製造された既存の帽子が使用できないのでは経済的にも不利であるという欠点があった。
【０００６】
第２の従来例は、クリップのような取り付け手段を用いて帽子の側面に付加物を取り付けるものではあるが、付加物がメッセージボードや懐中電灯等のような比較的小さくてクリップに取り付け易い物に限られ、耳当てのような大きな物品を取り付けることは困難であった。
【０００７】
第３の従来例は、頭髪を覆うヘアーネットの構造に関するものであるが、本願発明のようにヘアーネットが防水加工され雨滴から頭髪が濡れるのを防止する構造ではない。本発明は、帽子の後方に防水加工されたヘアーネットを取り付ける２つの小孔を設け、この小孔にヘアーネットを取り付けヘアーネットが容易にはずれないような構造を提供することを目的とする。
【課題を解決するための手段】
【０００８】
本発明の請求項１に記載される発明の耳当て付き帽子は、帽子本体と支持部と耳当てとから構成される耳当て付き帽子において、前記帽子本体は、その側面部に接着された芯材を有し、前記支持部は、一端に前記耳当てが結合され、他端に脱落防止手段が設けられたアームと、略Ｕ字状に形成され、外片と内片を有し、各々の内面に脱落防止手段が設けられるクリップと、前記外片の外面に前記アームを結合するアーム結合手段とを有し、外片と内片間に前記芯材を挟持することによって前記支持部を前記帽子本体に着脱可能に取り付けることを特徴とする。
【０００９】
本発明の請求項２に記載の発明は、脱落防止手段として、鋸歯状突起を設け、この鋸歯状突起によって帽子本体の側面部に接着された芯材を挟むように構成されるので、支持部を帽子に強固に取り付けることができる。
【００１０】
本発明の請求項３に記載の発明は、前記クリップが帽子本体から取り外し可能に構成されることを特徴とする。
【００１１】
本発明の請求項４に記載の発明は、前記クリップが帽子本体に固着されていることを特徴とする。
【００１２】
本発明の請求項５に記載の発明は、前記帽子の後部に頭髪収納袋付きブローチを取り付けるための２つの小孔を有することを特徴とする。
【００１３】
本発明の請求項６に記載の発明は、前記帽子本体の両側面に略半円形状の切り欠き部が設けられることを特徴とする。
【発明の効果】
【００１４】
以上記載したように、請求項１に記載の耳当て付き帽子によれば、帽子本体と支持部と耳当てとから構成される耳当て付き帽子において、前記帽子本体は、その側面部に接着された芯材を有し、前記支持部は、一端に前記耳当てが結合され、他端に脱落防止手段が設けられたアームと、略Ｕ字状に形成され、外片と内片を有し、各々の内面に脱落防止手段が設けられるクリップと、前記外片の外面に前記アームを摺動可能に結合するアーム結合手段とを有し、外片と内片間に前記芯材を挟持することによって前記支持部を前記帽子本体に取り付けるように構成されるので、冬の寒いときなど必要に応じて耳当て付き帽子を着脱できる。また、前記アームを摺動可能に結合するアーム結合手段を有するので、耳当ての位置を自由に調整することができる。
【００１５】
また、請求項２に記載の耳当て付き帽子によれば、脱落防止手段として、鋸歯状突起を設け、この鋸歯状突起によって帽子本体の側面部に接着された芯材を挟むように構成されるので、支持部を帽子本体に強固に取り付けることができる。
【００１６】
また、請求項３に記載の耳当て付き帽子によれば、前記支持部は、前記クリップが帽子本体から取り外し可能に構成されているので、耳当てを帽子本体から分離しておき、必要なときのみ耳当てを帽子本体に取り付けることができるので、耳当てを使用しないときに耳当てがじゃまにならない効果がある。
【００１７】
また、請求項４に記載の耳当て付き帽子によれば、前記クリップが帽子本体に固着されるように構成されるので、通常は耳当てのみを帽子本体から外しておき、必要なときのみ耳当てを帽子本体に結合することができ、耳当てを使用しないときに耳当てがじゃまにならない効果がある。
【００１８】
また、請求項５に記載の耳当て付き帽子によれば、前記帽子の後部に頭髪収納袋付きブローチを取り付けるための２つの小孔を有する構造であるので、頭髪の長い女性にも使い易い便利な耳当て付き帽子を提供できる。
【００１９】
また、請求項６に記載の耳当て付き帽子によれば、前記帽子本体の両側面に略半円形状の切り欠き部が設けられるので、帽子を深くかぶることができ、帽子が脱げにくくなる。
【発明を実施するための最良の形態】
【００２０】
図１は本発明の耳当て付き帽子１の全体構成を示す図である。図１（Ａ）は耳当て付き帽子を側面方向から見た斜視図、図１（Ｂ）は正面から見た図である。図１において、１は耳当て付き帽子、１０は帽子本体、１１は帽子の鍔部、１２は帽子の下縁部、１３は帽子背面の開口、１５は帽子側面部を略半円形に切り欠いた切り欠き部である。利用者の耳にあたる部分に切り欠き部１５を設けることにより、耳に邪魔されずに帽子を深くかぶることができ、帽子が脱げにくくなる。なお、帽子側面部にこの切り欠きを設けない構造とすることもできる。１６は耳当てを帽子本体１０に取り付ける際にクリップで挟むための芯材である。この芯材１６を設けることによって、クリップを強固に帽子に取り付けることができる。この芯材１６は帽子製造時に帽子に縫い付けてもいいし、従来の帽子に接着剤で接着してもよい。材料は布、金属、プラスチック、厚紙などを用いることができる。
【００２１】
２３は帽子本体１０に取り付ける耳当てである。この耳当て２３には、アーム２４が設けられ、このアーム２４の先端部は、アーム２４をクリップ２１に摺動可能に取り付けるためのアーム結合部２５に挿入される。アーム結合部２５は外片２１２および内片２１１から構成されるクリップ２１の内片２１１に取り付けられる。本願発明で用いられる帽子の種類は問わない。カーボーイハットのように縁が飛び出ている帽子を除く任意の帽子、たとえば野球帽、ゴルフ帽、野球や作業等に用いられるヘルメット等に適用できる。耳当て２３も防寒用耳当てだけでなく、ヘッドフォンやヘッドセット等に使用される耳当てにも適用できる。つまり、本発明の耳当て付き帽子は、防寒時、音楽聴取時、電話通話等の様々な場合にも使用できる。
【００２２】
耳当て２３を帽子本体１０に取り付ける際には、外片２１２と内片２１１で構成されるクリップ２１で帽子本体１０の側面部に設けられた芯材１６を挟むようにしてクリップ２１を帽子本体１０に取り付ける。次に、アーム２４をクリップの内片２１１の外面に設けたアーム結合部２５の中に挿し込み、後述のように耳当て２３が耳にフィットするように内片２１１とアーム２４の結合位置を調整する。図１（Ｂ）では、耳当て２３を帽子本体１０の左右両側面に取り付ける例を示したが、左右どちらか一方にのみ取り付けてもよい。片方に取り付ける例とは、例えばモノラル式ラジオのヘッドセットを帽子に取り付ける場合が該当する。ただし、双方の側面に取り付けられるように、芯材１６は予め双方の側面に接着しておくことが望ましい。
【００２３】
図２は、本発明の支持部を耳当てと一体化した一体型耳当ての構成を示す図である。この場合には、図２（Ａ）に示すように、帽子本体１０には、芯材１６のみが取り付けられ、クリップ２１はこの芯材１６に挟んで取り付けることになる。図２（Ｂ）は、支持部と耳当てが一体化された一体型耳当ての平面図である。図２（Ｃ）は、帽子を正面から見た図を示し、側面の一方に支持部２０が取り付けられ、側面の他方では、支持部２０が取り外された様子を示す図である。図２（Ｄ）は、取りはずされた支持部２０と耳当て２３が一体化された一体型耳当ての側面図である。
【００２４】
図３は、本発明の支持部を帽子と一体化し、アーム２４および耳当て２３が帽子本体１０から分離された分離型耳当ての構成を示す図である。図３（Ａ）に示すように、帽子本体１０には、芯材１６が取り付けられ、その芯材１６を挟むように支持部２０が取り付けられる。支持部２０のクリップ２１には、アーム２４と結合されるアーム結合部２５が取り付けられる。一方、アーム２４は、支持部２０のアーム結合部２５に対して着脱自在に構成され、アーム結合部２５にラッチ構造等で摺動自在に挿入される。図３（Ｂ）は、アーム２４と耳当て２３が支持部２０から分離された分離型耳当ての平面図である。分離された分離型耳当は、アーム２４の先端をアーム結合部２５に挿入することによって容易に支持部２０と結合できる。図３（Ｃ）は、帽子を正面から見た図を示し、帽子本体の側面の一方に支持部２０が取り付けられ、側面の他方でアーム２４が取り外された様子を示す図である。この分離型耳当ての場合には支持部２０は場合帽子本体２０に固着され、帽子本体から取り外すことはできない。図３（Ｄ）は、取りはずされた分離型耳当ての側面図である。
第１の実施例
図４は、第１の実施例の耳当て付き帽子の支持部を詳細に示した図である。図４（Ａ）はクリップの内片２１１の外面に形成したアーム結合部２５にアーム２４を挿入してクリップ２１とアーム２４を結合する状態を示す図である。図４（Ｂ）は、図４（Ａ）において、アーム２４をアーム結合部２５に挿入した状態を側面から見た側面図である。図４（Ｂ）において、２１３は内片２１１の外側の面に設けた鋸歯状突起、２１４はクリップ２１の内片２１１の内側（外片２１２と対向する側）の面に設けた鋸歯状突起、２１５はクリップ２１の外片２１２の内側（内片２１１と対向する側）の面に設けた鋸歯状突起、２４１はアーム２４のクリップ２１に面する側に設けた鋸歯状突起である。
【００２５】
図４（Ａ）において、耳当て２３を取り付けたアーム２４をアーム結合部２５の孔２５２に通して、耳当て２３をクリップ２１と一体化させる。クリップの内片２１１と外片２１２で帽子の芯材１６を挟み、内片２１１に設けた鋸歯状突起２１４と外片２１２に設けた鋸歯状突起２１５が噛合うようにすれば、クリップが帽子の芯材１６に食い込むように固定される。またアーム２４の先端部は鋸歯状突起２４１が内片２１１に対向する面に設けられる。図４（Ｂ）に示すように、アーム２４は、アーム結合部２５の下方から孔２５２に挿入され、アーム２４の鋸歯状突起２４１がクリップの内片２１１の外側に設けた鋸歯状突起２１３と噛合うので、アーム２４はクリップ２１と結合される。鋸歯状突起２１３と２４１は互いに１山ずつずれるようにアーム２４を上下に（図にＸで表示）動かすことができるので、１山の大きさの精度でアーム２４の長さを調整することができ、耳当て２３を適切に利用者の耳にフィットさせることができる。上述のように、本発明の耳当て付き帽子は、鋸歯状突起の噛合わせを利用して、耳当て２３を帽子本体１０に安定かつ強固に取り付けることができ、かつ耳にフィットするように微調整を行うことができる。
第２の実施例
図５は、第２の実施例の耳当て付き帽子の支持部を詳細に示した図である。図５に示すように、アーム２４の途中に屈曲部２９を設け、耳当て２３に適切な弾力を与えることができる。また、屈曲部２９を、弾性を有しかつ曲げ塑性の良い材料で形成すると、耳当て２３を任意の角度や方向に動かすことができ、耳当て２３の位置を任意の位置に微調整することもできる。
第３の実施例
図６は第３の実施例の耳当て付き帽子の支持部を詳細に示した図である。図６は、アーム２４の下端部に耳当ての位置調整を可能にする調整部を設けた例である。図６（Ａ）は耳当て２３の調整部の平面図を示す図であり、図６（Ｂ）は耳当て２３の調整部の側面図を示す図である。図６（Ａ）、（Ｂ）において、アーム２４の端部に、スリット３４を設け、取り付けネジ３０をスリット３４を介して耳当て２３に設けられた雌ネジ３２に締め付けることによって、耳当て２３をアーム２４に摺動可能に（図にＹで表示）固定することができる。アーム２４の片面と耳当て２３の片面にそれぞれ鋸歯状突起３１、３３を設け、取り付けネジ３０を締め付けると、鋸歯状突起３１、３３が結合し耳当て２３をアーム２４に強固に固定することができる。また、鋸歯状突起を摩擦が大きな面にすることによって、同様の効果を得ることができる。
第４の実施例
図７は第３の実施例の耳当て付き帽子の支持部を詳細に示した図である。図７（Ａ）は、クリップの外片２１２が閉じたときの側面図を示す。図７（Ｂ）は、クリップの外片２１２が開いたときの側面図を示す。図７において、図４に示した支持部と同一の部分には同一の符号を付与して説明を省略する。図７（Ａ）、（Ｂ）において、３５は内片２１１の内面の一部に設けたバネである。内片２１１の内面には全体的に鋸歯状突起２１４が形成されるが、面内の一部の領域だけ鋸歯状突起を形成せずにバネ３５が設けられる。３６は外片２１２の端部であり、Ｕ字形に曲がって形成される。図７（Ａ）に示すように、支点２８を中心にして外片２１２を外に開くように外片２１２に外向きの力Ｆを加えると、外片２１２が図７（Ｂ）のように外に開く。このとき、バネ３５が外片２１２の端部３６を押すため、端部３６はバネの復元力で押し戻される。外片２１２が開いた状態で、外片２１２と内片２１１との間に帽子に接着された芯材１６を挟み、その後、外片２１２に加えていた力を取り去ると、バネ３５の復元力で外片２１２が内片２１１の方向に戻り、芯材１６を外片２１２と内片２１１で挟むのでクリップが帽子に固定される。この状態で、鋸歯状突起２１４と鋸歯状突起２１５はバネ３５の力で帽子を強固に把持することができる。
【００２６】
図８は本発明の第５の実施例の耳当て付き帽子の背面図である。図１〜図３において示される部分と同一の部分には同一の符号を付して説明を省略する。図８（Ａ）はブローチを付けない状態の耳当て付帽子を示す。１４は帽子の下縁部１２の先端に設けられ帽子のサイズを調整するサイズ調整ベルトであり、例えばマジックテープ（登録商標）やボタン、ホック等が利用される。このサイズ調整ベルト１４で帽子の大きさを頭に合わせる調整をする。例えば、ボタンやホックの場合は、サイズ調整ベルト１４の一方側に数個のボタン孔や雌ホックを設け、他方に１つのボタンや雄ホックを設けることによって帽子の大きさを頭に合わせることができる。開口１３は帽子をかぶった際に頭髪を外に逃がす開口であり、略半円形等で大きめに形成することが望ましい。５０はブローチを支持するための芯材、５１ａと５１ｂは、ブローチを帽子本体１０に固定するためにブローチの止め金を通す小孔である。芯材５０は帽子側面に設けた芯材１６と同一の構造と機能を有する。ブローチを帽子本体に取り付けるには、ブローチの止め金を、例えば、小孔５１ａから挿し込んで小孔５１ｂから引き出すようにする。
【００２７】
図８（Ｂ）はブローチを帽子に取り付けた状態を示す図である。図８（Ｂ）において、６０はブローチ、６１はブローチに取り付けた頭髪収納袋である。図８（ｃ）はブローチ６０およびブローチの一端に設けられた頭髪収納袋６１の詳細な構造を示す図である。なお、このブローチ６０の構造は周知のブローチの構造と同一であり、本発明特有の構造ではない。頭髪収納袋６１は、ブローチ６０の一端に取り付けられる。ブローチ６０を帽子本体１０に取り付けた後、頭髪を頭髪収納袋６１に収納することができる。
【００２８】
頭髪収納袋６１は撥水加工した防水性の生地を使用して形成すれば、雨の日でも頭髪が濡れるのを防止できる。ブローチ６０は、美的効果を考えて外側止め金６２の形状を例えばリボン状に形成することもできるが、リボンを外付けする方が便利である。リボンを取り付ける方法は問わないが、例えば、両面接着テープ、マジックテープ（登録商標）、ホック、ピン等の各種の方法でブローチの外側止め金６２にリボンを外付けすることもできる。外付けリボンも防水性生地で製造すれば、雨の日でも使用できて便利である。
【００２９】
長髪の女性が本発明の耳当て付き帽子を使用する場合には、ブローチ６０の内側止め金６３を帽子本体１０に設けた小孔５１ａと小孔５１ｂに挿入して、外側止め金６２の突起６４を結合孔６５に結合させることによって、ブローチ６０を帽子本体１０に固定する。それから、帽子をかぶり、その後頭髪の毛をまとめて開口１３から外に出し、頭髪全体を頭髪収納袋６１の中にまとめて挿入する。もちろん帽子本体１０にブローチ６０を装着する順序や、開口１３から髪を外に出す順序は一例であって、上記の例には限定されない。例えば、帽子をかぶってからブローチを帽子に取り付けてもよい。
【００３０】
図９は頭髪収納袋６１の使用状態を概略的に示す図である。図９において、頭髪は頭髪収納袋６１の中でまとめられ、帽子の後側に丸められている様子がよく分かる。なお、図９においては、図１示した部分と同一の部分は同一の符号を付して説明を省略する。この頭髪収納袋６１は、帽子の外に飛び出していても、上述のように、頭髪収納袋６１の素材に撥水加工した防水性の生地を使用して形成すれば、雨の日でも頭髪が濡れるのを防止できる。
【００３１】
図１０は別の実施例の帽子本体１０を示す図である。図１に示した部分と同一の部分には同一の符号を付して説明を省略する。８０は帽子本体１０の頂部付近の内側に取り付けた袋状の小物入れであり、この中にポケットタオルや冷却剤やミニカイロ等を収納する。８１は収納したポケットタオルを帽子本体１０に取り付けるボタンやホック等の止め具である。小物入れ８０はタオル生地等の比較的厚みのある吸水性の生地を用いると、夏場の暑いときには、汗として発汗する水滴を吸収して頭髪が濡れることを防ぐことができ、また、冬場の寒いときには、小物入れ８０に入れたミニカイロ等が頭皮に接触して頭皮を暖めることができる。止め具８１はボタン等でもいいが、マジックテープ（登録商標）を用いれば厚さがないので頭皮を傷めることがなく便利である。このように、帽子の頂部付近に小物入れ８０を設けると、ポケットタオルやティッシュ、バンソウコウ等の小物を簡単に収納でき、便利である。
【図面の簡単な説明】
【００３２】
【図１】本発明の耳当て付き帽子の全体構成を示す図である。
【図２】本発明のクリップを耳当てと一体化した構成を示す図である。
【図３】本発明のクリップを帽子と一体化した構成を示す図である。
【図４】本発明の第１の実施例の耳当て付き帽子の支持部を示す図である。
【図５】本発明の第２の実施例の耳当て付き帽子の支持部を示す図である。
【図６】本発明の第３の実施例の耳当て付き帽子の支持部を示す図である。
【図７】本発明の第４の実施例の耳当て付き帽子の支持部を示す図である。
【図８】本発明の第５の実施例の耳当て付き帽子の背面図である。
【図９】頭髪収納袋に頭髪を収納した状態を示す図である。
【図１０】耳当て付き帽子の頂部に小物入れを設けた帽子の構成を示す図である。
【図１１】耳当て付き帽子の従来例を示す図である。
【図１２】各種の付加物の取り付が可能な帽子の従来例を示す図である。
【図１３】クリップ付き頭髪収納袋の従来例を示す図である。
【符号の説明】
【００３３】
１  耳当て付き帽子
１０  帽子本体
１１  鍔部
１２  下縁部
１３  開口
１４  サイズ調整ベルト
１５  切り欠き部
１６  芯材
２０  支持部
２１  クリップ
２３  耳当て
２４  アーム
２５  アーム結合部
２８  クリップ支点
２９  屈曲部
３０  取り付けネジ
３１  鋸歯状突起
３２  雌ネジ
３３  鋸歯状突起
３４  スリット
３５  バネ
３６  端部
５０  芯材
５１ａ、５１ｂ  小孔
６０  ブローチ
６１  頭髪収納袋
６２  外側止め金
６３  内側止め金
８０  小物入れ
８１  止め具
２１１  クリップ外片
２１２  クリップ内片
２１３  鋸歯状突起
２１４  鋸歯状突起
２１５  鋸歯状突起
２４１  鋸歯状突起
２５２  孔
【図１】
2008038291.tif 000003
【図２】
2008038291.tif 000004
【図３】
2008038291.tif 000005
【図４】
2008038291.tif 000006
【図５】
2008038291.tif 000007
【図６】
2008038291.tif 000008
【図７】
2008038291.tif 000009
【図８】
2008038291.tif 000010
【図９】
2008038291.tif 000011
【図１０】
2008038291.tif 000012
【図１１】
2008038291.tif 000013
【図１２】
2008038291.tif 000014
【図１３】
2008038291.tif 000015
【手続補正書】
【提出日】平成19年1月31日(2007.1.31)
【手続補正１】
【補正対象書類名】特許請求の範囲
【補正対象項目名】全文
【補正方法】変更
【補正の内容】
【特許請求の範囲】
【請求項１】
その側面部に接着された芯材を有する帽子本体と支持部と耳当てとから構成される耳当て付き帽子において、
前記帽子本体は、
その後部に開口部を有し、
前記開口部に隣接する帽子本体部分に水平に設けられた２つの小孔を有し、
前記支持部は、
一端に前記耳当てが結合され、他端にクリップが設けられたアームを有し、
前記クリップは、
略Ｕ字状に形成され、外片と内片を有し、前記外片と内片の各内面には鋸歯状突起の脱落防止手段が設けられ、前記内片と外片は支点で結合され、前記内片の一端は外片の一端に設けられたバネと係合し、前記内片の他端に外向きの力を加えたときに前記内片は前記支点を中心に外側に開き、前記内片他端の外向きの力を取り去ると前記内片は前記バネの復元力で前記外片の方に押し戻されるように構成され、前記外片の外面に前記アームと摺動可能に結合するアーム結合手段を有し、
前記外片と内片間に前記芯材を挟持することによって前記支持部を前記帽子本体に固着するとともに、防水性の頭髪収納袋を内側止め金で前記２つの小孔に挿入して取り付けた後、前記開口部から外に引き出した髪を前記頭髪収納袋に収納することを特徴とする耳当て付き帽子。
【手続補正２】
【補正対象書類名】明細書
【補正対象項目名】０００８
【補正方法】変更
【補正の内容】
【０００８】
本発明の請求項１に記載される発明の耳当て付き帽子は、  その側面部に接着された芯材を有する帽子本体と支持部と耳当てとから構成される耳当て付き帽子において、
前記帽子本体は、その後部に開口部を有し、前記開口部に隣接する帽子本体部分に水平に設けられた２つの小孔を有し、
前記支持部は、一端に前記耳当てが結合され、他端にクリップが設けられたアームを有し、
前記クリップは、略Ｕ字状に形成され、外片と内片を有し、前記外片と内片の各内面には鋸歯状突起の脱落防止手段が設けられ、前記内片と外片は支点で結合され、前記内片の一端は外片の一端に設けられたバネと係合し、前記内片の他端に外向きの力を加えたときに前記内片は前記支点を中心に外側に開き、前記内片他端の外向きの力を取り去ると前記内片は前記バネの復元力で前記外片の方に押し戻されるように構成され、前記外片の外面に前記アームと摺動可能に結合するアーム結合手段とを有し、
前記外片と内片間に前記芯材を挟持することによって前記支持部を前記帽子本体に固着するとともに、防水性の頭髪収納袋を内側止め金で前記２つの小孔に挿入して取り付けた後、前記開口部から外に引き出した髪を前記頭髪収納袋に収納することを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
以上記載したように、請求項１に記載される発明の耳当て付き帽子によれば、その側面部に接着された芯材を有する帽子本体と支持部と耳当てとから構成される耳当て付き帽子において、帽子本体は、その後部に開口部を有し、開口部に隣接する帽子本体部分に水平に設けられた２つの小孔を有する。支持部は、一端に前記耳当てが結合され、他端にクリップが設けられたアームを有する。クリップは、略Ｕ字状に形成され、外片と内片を有し、外片と内片の各内面には鋸歯状突起の脱落防止手段が設けられ、内片と外片は支点で結合され、内片の一端は外片の一端に設けられたバネと係合し、内片の他端に外向きの力を加えたときに内片は支点を中心に外側に開き、内片他端の外向きの力を取り去ると内片はバネの復元力で外片の方に押し戻され、外片の外面にアームと摺動可能に結合するアーム結合手段とを有する。
上述のように、外片と内片間に芯材を挟持することによって支持部を帽子本体に固着するとともに、防水性の頭髪収納袋を内側止め金で２つの小孔に挿入して取り付けた後、開口部から外に引き出した髪を頭髪収納袋に収納するように構成されるので、雨のとき等に頭髪の長い女性にも使い易く便利である。支持部は、クリップが帽子本体から取り外し可能に構成されているので、耳当てを帽子本体から分離しておき、必要なときのみ耳当てを帽子本体に取り付けることができるので、耳当てを使用しないときに耳当てがじゃまにならない効果がある。また、クリップは、内片と外片は支点で結合され、内片を大きく開くことができるので、クリップを帽子本体に取り付け易い。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正書】
【提出日】平成19年5月21日(2007.5.21)
【手続補正１】
【補正対象書類名】明細書
【補正対象項目名】００２４
【補正方法】変更
【補正の内容】
【００２４】
図３は、本発明の支持部を帽子と一体化し、アーム２４および耳当て２３が帽子本体１０から分離された分離型耳当ての構成を示す図である。図３（Ａ）に示すように、帽子本体１０には、芯材１６が取り付けられ、その芯材１６を挟むように支持部２０が取り付けられる。支持部２０のクリップ２１には、アーム２４と結合されるアーム結合部２５が取り付けられる。一方、アーム２４は、支持部２０のアーム結合部２５に対して着脱自在に構成され、アーム結合部２５にラッチ構造等で摺動自在に挿入される。図３（Ｂ）は、アーム２４と耳当て２３が支持部２０から分離された分離型耳当ての平面図である。分離された分離型耳当は、アーム２４の先端をアーム結合部２５に挿入することによって容易に支持部２０と結合できる。図３（Ｃ）は、帽子を正面から見た図を示し、帽子本体の側面の一方に支持部２０が取り付けられ、側面の他方でアーム２４が取り外された様子を示す図である。この分離型耳当ての場合には支持部２０は場合帽子本体２０に固着され、帽子本体から取り外すことはできない。図３（Ｄ）は、取りはずされた分離型耳当ての側面図である。
第１の参考例
図４は、第１の参考例の耳当て付き帽子の支持部を詳細に示した図である。図４（Ａ）はクリップの内片２１１の外面に形成したアーム結合部２５にアーム２４を挿入してクリップ２１とアーム２４を結合する状態を示す図である。図４（Ｂ）は、図４（Ａ）において、アーム２４をアーム結合部２５に挿入した状態を側面から見た側面図である。図４（Ｂ）において、２１３は内片２１１の外側の面に設けた鋸歯状突起、２１４はクリップ２１の内片２１１の内側（外片２１２と対向する側）の面に設けた鋸歯状突起、２１５はクリップ２１の外片２１２の内側（内片２１１と対向する側）の面に設けた鋸歯状突起、２４１はアーム２４のクリップ２１に面する側に設けた鋸歯状突起である。
【手続補正２】
【補正対象書類名】明細書
【補正対象項目名】００２５
【補正方法】変更
【補正の内容】
【００２５】
図４（Ａ）において、耳当て２３を取り付けたアーム２４をアーム結合部２５の孔２５２に通して、耳当て２３をクリップ２１と一体化させる。クリップの内片２１１と外片２１２で帽子の芯材１６を挟み、内片２１１に設けた鋸歯状突起２１４と外片２１２に設けた鋸歯状突起２１５が噛合うようにすれば、クリップが帽子の芯材１６に食い込むように固定される。またアーム２４の先端部は鋸歯状突起２４１が内片２１１に対向する面に設けられる。図４（Ｂ）に示すように、アーム２４は、アーム結合部２５の下方から孔２５２に挿入され、アーム２４の鋸歯状突起２４１がクリップの内片２１１の外側に設けた鋸歯状突起２１３と噛合うので、アーム２４はクリップ２１と結合される。鋸歯状突起２１３と２４１は互いに１山ずつずれるようにアーム２４を上下に（図にＸで表示）動かすことができるので、１山の大きさの精度でアーム２４の長さを調整することができ、耳当て２３を適切に利用者の耳にフィットさせることができる。上述のように、本発明の耳当て付き帽子は、鋸歯状突起の噛合わせを利用して、耳当て２３を帽子本体１０に安定かつ強固に取り付けることができ、かつ耳にフィットするように微調整を行うことができる。
第２の参考例
図５は、第２の参考例の耳当て付き帽子の支持部を詳細に示した図である。図５に示すように、アーム２４の途中に屈曲部２９を設け、耳当て２３に適切な弾力を与えることができる。また、屈曲部２９を、弾性を有しかつ曲げ塑性の良い材料で形成すると、耳当て２３を任意の角度や方向に動かすことができ、耳当て２３の位置を任意の位置に微調整することもできる。
第３の参考例
図６は第３の参考例の耳当て付き帽子の支持部を詳細に示した図である。図６は、アーム２４の下端部に耳当ての位置調整を可能にする調整部を設けた例である。図６（Ａ）は耳当て２３の調整部の平面図を示す図であり、図６（Ｂ）は耳当て２３の調整部の側面図を示す図である。図６（Ａ）、（Ｂ）において、アーム２４の端部に、スリット３４を設け、取り付けネジ３０をスリット３４を介して耳当て２３に設けられた雌ネジ３２に締め付けることによって、耳当て２３をアーム２４に摺動可能に（図にＹで表示）固定することができる。アーム２４の片面と耳当て２３の片面にそれぞれ鋸歯状突起３１、３３を設け、取り付けネジ３０を締め付けると、鋸歯状突起３１、３３が結合し耳当て２３をアーム２４に強固に固定することができる。また、鋸歯状突起を摩擦が大きな面にすることによって、同様の効果を得ることができる。
第１の実施例
図７は第１の実施例の耳当て付き帽子の支持部を詳細に示した図である。図７（Ａ）は、クリップの外片２１２が閉じたときの側面図を示す。図７（Ｂ）は、クリップの外片２１２が開いたときの側面図を示す。図７において、図４に示した支持部と同一の部分には同一の符号を付与して説明を省略する。図７（Ａ）、（Ｂ）において、３５は内片２１１の内面の一部に設けたバネである。内片２１１の内面には全体的に鋸歯状突起２１４が形成されるが、面内の一部の領域だけ鋸歯状突起を形成せずにバネ３５が設けられる。３６は外片２１２の端部であり、Ｕ字形に曲がって形成される。図７（Ａ）に示すように、支点２８を中心にして外片２１２を外に開くように外片２１２に外向きの力Ｆを加えると、外片２１２が図７（Ｂ）のように外に開く。このとき、バネ３５が外片２１２の端部３６を押すため、端部３６はバネの復元力で押し戻される。外片２１２が開いた状態で、外片２１２と内片２１１との間に帽子に接着された芯材１６を挟み、その後、外片２１２に加えていた力を取り去ると、バネ３５の復元力で外片２１２が内片２１１の方向に戻り、芯材１６を外片２１２と内片２１１で挟むのでクリップが帽子に固定される。この状態で、鋸歯状突起２１４と鋸歯状突起２１５はバネ３５の力で帽子を強固に把持することができる。
【手続補正３】
【補正対象書類名】明細書
【補正対象項目名】００２６
【補正方法】変更
【補正の内容】
【００２６】
図８は本発明の第４の参考例の耳当て付き帽子の背面図である。図１〜図３において示される部分と同一の部分には同一の符号を付して説明を省略する。図８（Ａ）はブローチを付けない状態の耳当て付帽子を示す。１４は帽子の下縁部１２の先端に設けられ帽子のサイズを調整するサイズ調整ベルトであり、例えばマジックテープ（登録商標）やボタン、ホック等が利用される。このサイズ調整ベルト１４で帽子の大きさを頭に合わせる調整をする。例えば、ボタンやホックの場合は、サイズ調整ベルト１４の一方側に数個のボタン孔や雌ホックを設け、他方に１つのボタンや雄ホックを設けることによって帽子の大きさを頭に合わせることができる。開口１３は帽子をかぶった際に頭髪を外に逃がす開口であり、略半円形等で大きめに形成することが望ましい。５０はブローチを支持するための芯材、５１ａと５１ｂは、ブローチを帽子本体１０に固定するためにブローチの止め金を通す小孔である。芯材５０は帽子側面に設けた芯材１６と同一の構造と機能を有する。ブローチを帽子本体に取り付けるには、ブローチの止め金を、例えば、小孔５１ａから挿し込んで小孔５１ｂから引き出すようにする。
【手続補正４】
【補正対象書類名】明細書
【補正対象項目名】００３１
【補正方法】変更
【補正の内容】
【００３１】
図１０は別の参考例の帽子本体１０を示す図である。図１に示した部分と同一の部分には同一の符号を付して説明を省略する。８０は帽子本体１０の頂部付近の内側に取り付けた袋状の小物入れであり、この中にポケットタオルや冷却剤やミニカイロ等を収納する。８１は収納したポケットタオルを帽子本体１０に取り付けるボタンやホック等の止め具である。小物入れ８０はタオル生地等の比較的厚みのある吸水性の生地を用いると、夏場の暑いときには、汗として発汗する水滴を吸収して頭髪が濡れることを防ぐことができ、また、冬場の寒いときには、小物入れ８０に入れたミニカイロ等が頭皮に接触して頭皮を暖めることができる。止め具８１はボタン等でもいいが、マジックテープ（登録商標）を用いれば厚さがないので頭皮を傷めることがなく便利である。このように、帽子の頂部付近に小物入れ８０を設けると、ポケットタオルやティッシュ、バンソウコウ等の小物を簡単に収納でき、便利である。
【手続補正５】
【補正対象書類名】明細書
【補正対象項目名】００３２
【補正方法】変更
【補正の内容】
【００３２】
【図１】本発明の耳当て付き帽子の全体構成を示す図である。
【図２】本発明のクリップを耳当てと一体化した構成を示す図である。
【図３】本発明のクリップを帽子と一体化した構成を示す図である。
【図４】本発明の第１の参考例の耳当て付き帽子の支持部を示す図である。
【図５】本発明の第２の参考例の耳当て付き帽子の支持部を示す図である。
【図６】本発明の第３の参考例の耳当て付き帽子の支持部を示す図である。
【図７】本発明の第１の実施例の耳当て付き帽子の支持部を示す図である。
【図８】本発明の第４の参考例の耳当て付き帽子の背面図である。
【図９】頭髪収納袋に頭髪を収納した状態を示す図である。
【図１０】耳当て付き帽子の頂部に小物入れを設けた帽子の構成を示す図である。
【図１１】耳当て付き帽子の従来例を示す図である。
【図１２】各種の付加物の取り付が可能な帽子の従来例を示す図である。
【図１３】クリップ付き頭髪収納袋の従来例を示す図である。